(57)【要約】【課題】上下シャッター部材の変形による脱落を抑制することができるローラ搬送式焼成炉のシャッター装置を提供する。【解決手段】搬送ローラの間を通して上下シャッター部材４８の下端部から下方へ突き出す一対の支持棒５０により支持され、支持棒５０を介して炉体１６内の空間を開閉させられる上下シャッター部材４８を、備え、上下シャッター部材４８は、一対の支持棒５０の端部を挟んだ状態で貼り合わせられた一対の前側断熱板８２および後側断熱板８４と、一対の前側断熱板８２および後側断熱板８４の一対の支持棒５０側とは反対側の上側端面８２ａ，８４ａにそれぞれ貼り付けられた上端側断熱板８６とを、含む。上端側断熱板８６によっての一対の前側断熱板８２および後側断熱板８４が相互にはがれることが好適に抑制され、上下シャッター部材４８が支持棒５０から脱落するという問題が解消される。【選択図】図７
2020143884.tif 000002
【特許請求の範囲】
【請求項１】
トンネル状の炉体を有し、前記炉体を幅方向に貫通する複数本の搬送ローラにより搬送される被加熱材に熱処理を施すローラ搬送式焼成炉において前記炉体内の空間を前記空間の長手方向に複数の加熱領域に分割する、ローラ搬送式焼成炉のシャッター装置であって、
前記搬送ローラの間を通して上方へ突き出す一対の支持棒により支持され、前記支持棒を介して前記炉体内の空間を開閉させられる上下シャッター部材を、備え、
前記上下シャッター部材は、前記一対の支持棒の端部を挟んだ状態で貼り合わせられた一対の前側断熱板および後側断熱板と、前記一対の前側断熱板および後側断熱板の上側端面にそれぞれ貼り付けられた上端側断熱板とを、含む
ことを特徴とするローラ搬送式焼成炉のシャッター装置。
【請求項２】
前記前側断熱板および後側断熱板と上端側断熱板とは、セラミックファイバーで構成された断熱板材であり、且つセラミックボンドによって相互に接着されている
ことを特徴とする請求項１に記載のローラ搬送式焼成炉のシャッター装置。
【請求項３】
セラミックファイバーにより前記断熱板材よりも硬く構成された複数本の第１円柱状断熱補強ピンが、前記前側断熱板および後側断熱板に厚み方向に打ち込まれた状態でセラミックボンドによって接着され、
前記第１円柱状断熱補強ピンと同様にセラミックファイバーにより前記断熱板材よりも硬く構成された複数本の第２円柱状断熱補強ピンが、前記前側断熱板および後側断熱板と前記上端側断熱板とに、前記上端側断熱板の厚み方向に打ち込まれた状態でセラミックボンドによって接着されている
ことを特徴とする請求項２に記載のローラ搬送式焼成炉のシャッター装置。
【請求項４】
前記一対の支持棒の端部には、セラミックファイバーにより前記断熱板材よりも硬く構成された円筒状断熱ブッシュが固定されており、
前記一対の前側断熱板および後側断熱板の合わせ面には、前記一対の支持棒を嵌め入れる小径凹溝と、前記一対の支持棒の端部に固定された前記円筒状断熱ブッシュを嵌め入れる大径凹溝とが、連続して形成されている
ことを特徴とする請求項２または３に記載のローラ搬送式焼成炉のシャッター装置。
【請求項５】
前記円筒状断熱ブッシュが固定された前記一対の支持棒の端部には、金属ピンが前記金属ピンの両端部を前記円筒状断熱ブッシュから突き出した状態で貫通させられている
ことを特徴とする請求項４に記載のローラ搬送式焼成炉のシャッター装置。
【請求項６】
前記支持棒は、セラミック材料から円管状に構成されている
ことを特徴とする請求項１から５のいずれか１に記載のローラ搬送式焼成炉のシャッター装置。
【請求項７】
前記炉体に固定され、前記上下シャッター部材を収容して上下方向に案内するシャッターケースを、含み、
前記シャッターケースは、上下方向に積層された断熱板材の積層体により構成されている
ことを特徴とする請求項１から６のいずれか１に記載のローラ搬送式焼成炉のシャッター装置。
【請求項８】
前記シャッターケースを構成する前記断熱板材の積層体は、セラミックファイバーで構成され且つセラミックボンドによって相互に接着された枠状断熱板材から構成されている
ことを特徴とする請求項７のローラ搬送式焼成炉のシャッター装置。
【請求項９】
前記上下シャッター部材は、前記複数本の搬送ローラの芯間隔よりも大きい厚みを有する
ことを特徴とする請求項１から８のいずれか１に記載のローラ搬送式焼成炉のシャッター装置。
【請求項１０】
前記シャッターケースは、前記被加熱材を通過させる貫通穴がそれぞれ形成された前壁および後壁と、前記前壁および後壁の幅方向の両端部をそれぞれ接続する一対の側壁とを有し、前記前壁および後壁と前記一対の側壁との間に形成された収容空間内に前記上下シャッター部材を上下方向の移動可能に収容する
ことを特徴とする請求項７または８に記載のローラ搬送式焼成炉のシャッター装置。
【請求項１１】
前記シャッターケースの前記前壁および後壁の内壁面には、案内レールが上下方向にそれぞれ延設され、
前記上下シャッター部材の前面および後面には、前記案内レールが嵌め入れられる凹状案内溝が形成され、
前記上下シャッター部材は、前記上下シャッター部材の前面および後面が前記案内レールの前記内壁面からの突出し寸法よりも小さな間隔を前記内壁面との間に隔てた状態で、前記案内レールにより上下方向に案内される
ことを特徴とする請求項１０に記載のローラ搬送式焼成炉のシャッター装置。
【請求項１２】
前記シャッターケースは、前記複数本の搬送ローラのうちの隣り合う２本の搬送ローラを間に挟んで位置する一対の前記搬送ローラの間隔よりも大きい寸法の厚み寸法を有し、
前記シャッターケースには、前記２本の搬送ローラを幅方向に貫通させる貫通穴と、前記一対の搬送ローラとの干渉を回避するため一対の凹溝とが形成されている
ことを特徴とする請求項７、８、１０、および１１のいずれか１に記載のローラ搬送式焼成炉のシャッター装置。
【請求項１３】
前記上下シャッター部材は、前記複数本の搬送ローラの芯間隔よりも大きい厚みと、前記搬送ローラとの干渉を回避するために下端開閉面と前面および後面との間の稜部にそれぞれ形成された一対の凹溝とを有し、閉位置に下降させられた状態では、前記下端開閉面が前記搬送ローラの間に位置するものである
ことを特徴とする請求項１２に記載のローラ搬送式焼成炉のシャッター装置。
【請求項１４】
前記シャッターケースは、前記複数本の搬送ローラの芯間隔よりも大きい厚みと、前記搬送ローラとの干渉を回避するために上端開閉面と前面および後面との間の稜部にそれぞれ形成された一対の凹溝と、前記搬送ローラの間に位置させられ、前記上下シャッター部材が前記閉位置に下降させられた状態では、前記上下シャッター部材の下端開閉面が接近させられる前記上端開閉面とを有し、前記炉体に固定された固定シャッター部材を、位置固定に収容する
ことを特徴とする請求項１３に記載のローラ搬送式焼成炉のシャッター装置。
【請求項１５】
前記搬送ローラの間を通して、前記上下シャッター部材の下端部から下方へ突き出す一対の支持棒と、前記炉体の下側に配置され、前記一対の支持棒を介して前記上下シャッター部材を上下方向に駆動して開位置と閉位置とに位置させるシャッター駆動装置とを、含む
ことを特徴とする請求項１から１４のいずれか１に記載のローラ搬送式焼成炉のシャッター装置。
【請求項１６】
前記炉体は、基台フレームによって支持されており、
前記基台フレームは、下側フレームと、前記下側フレームから上方へ突き出す支柱フレームと、前記支柱フレームにより支持され、前記炉体が載置される上側フレームとを有し、
前記シャッター駆動装置は、前記上側フレームに設けられている
ことを特徴とする請求項１５に記載のローラ搬送式焼成炉のシャッター装置。
【請求項１７】
前記シャッター駆動装置は、
前記一対の支持棒の下端部が固定された上下プレートと、
前記上側フレームに固定され、前記上下プレートを上下方向に案内する上下方向案内装置と、
前記上側フレームに固定され、前記上下プレートを上下方向に駆動する減速機付電動機とを、含む
ことを特徴とする請求項１６に記載のローラ搬送式焼成炉のシャッター装置。
【発明の詳細な説明】
【技術分野】
【０００１】
本発明は、被処理材を一方向に順次搬送しつつ加熱処理するローラ搬送式焼成炉内を、複数の加熱領域に分割する、ローラ搬送式焼成炉のシャッター装置に関する。
【背景技術】
【０００２】
従来、炉体を幅方向に貫通して設けられた水平な複数本の搬送ローラによって被加熱材を順次搬送する形式のローラ搬送式焼成炉が知られている。たとえば、このような特許文献１に記載された熱処理炉がそれである。このようなローラ搬送式焼成炉は、たとえばローラハースキルン（ＲＨＫ）と称されている。
【０００３】
ところで、上記のような焼成炉では、たとえば脱脂室、予熱室、焼成室、徐冷室、冷却室などの複数の加熱領域に分割するシャッター部材装置が設けられ、所定の雰囲気に維持されつつ所定のヒートプロファイルにて被加熱材に加熱処理が施される。このようなローラ搬送式焼成炉は、たとえばガス浸炭処理などに用いられる。
【０００４】
この特許文献１に記載のローラ搬送式焼成炉では、炉体の上に配置されたシリンダ機構を含む開閉扉昇降器により支持シャフトを介して開閉扉すなわち上下シャッター部材がシャッターケース内を上下方向に駆動されることにより、上下シャッター部材がシャッターケースに貫通して形成された貫通穴を開閉するようになっている。
【先行技術文献】
【特許文献】
【０００５】
【特許文献１】特開２００８−２０９０６０号公報
【発明の概要】
【発明が解決しようとする課題】
【０００６】
上記従来のローラ搬送式焼成炉によれば、上下シャッター部材は、上下シャッター部材から下方に突き出した支持棒の上端部を挟むように、一対の前側断熱板および後側断熱板が貼り合わせられることにより構成される。このような前側断熱板および後側断熱板は、たとえば、セラミックファイバーからなる繊維性断熱板材によって構成されることから、耐熱性や断熱性が高く、柔軟且つ軽量であるため、加工性および施行性が高く、安価であるという特徴がある。しかしながら、上記のようにセラミックファイバーから成る断熱板材などによって上下シャッター部材が構成される場合において、特にシャッター部材が分割した加熱領域の温度差が大きいと、熱変形による反りが発生して、一対の前側断熱板および後側断熱板が相互にはがれて上下シャッター部材が支持棒から脱落するという問題があった。
【０００７】
本発明は、以上の事情を背景として為されたものであり、その目的とするところは、上下シャッター部材を構成する一対の前側断熱板および後側断熱板の変形による、上下シャッター部材の脱落を抑制することができるローラ搬送式焼成炉のシャッター装置を提供することにある。
【課題を解決するための手段】
【０００８】
第１発明の要旨とするところは、トンネル状の炉体を有し、前記炉体を幅方向に貫通する複数本の搬送ローラにより搬送される被加熱材に熱処理を施すローラ搬送式焼成炉において前記炉体内の空間を前記空間の長手方向に複数の加熱領域に分割する、ローラ搬送式焼成炉のシャッター装置であって、前記搬送ローラの間を通して上方へ突き出す一対の支持棒により支持され、前記支持棒を介して前記炉体内の空間を開閉させられる上下シャッター部材を、備え、前記上下シャッター部材は、前記一対の支持棒の端部を挟んだ状態で貼り合わせられた一対の前側断熱板および後側断熱板と、前記一対の前側断熱板および後側断熱板の上側端面にそれぞれ貼り付けられた上端側断熱板とを、含むことにある。
【０００９】
第２発明の要旨とするとろは、第１発明において、前記前側断熱板および後側断熱板と上端側断熱板とは、セラミックファイバーで構成された断熱板材であり、且つセラミックボンドによって相互に接着されていることにある。
【００１０】
第３発明の要旨とするところは、第２発明において、セラミックファイバーにより前記断熱板材よりも硬く構成された複数本の第１円柱状断熱補強ピンが、前記前側断熱板および後側断熱板にそれら厚み方向に打ち込まれた状態でセラミックボンドによって接着され、第１円柱状断熱補強ピンと同様にセラミックファイバーにより前記断熱板材よりも硬く構成された複数本の第２円柱状断熱補強ピンが、前記前側断熱板および後側断熱板と前記上端側断熱板とに、前記上端側断熱板の厚み方向に打ち込まれた状態でセラミックボンドによって接着されていることにある。
【００１１】
第４発明の要旨とするところは、第２発明または第３発明において、前記一対の支持棒の端部には、セラミックファイバーにより前記断熱板材よりも硬く構成された円筒状断熱ブッシュが固定されており、前記一対の前側断熱板および後側断熱板の合わせ面には、前記一対の支持棒を嵌め入れる小径凹溝と、前記一対の支持棒の端部に固定された円筒状断熱ブッシュを嵌め入れる大径凹溝とが、連続して形成されていることにある。
【００１２】
第５発明の要旨とするところは、前記円筒状断熱ブッシュが固定された前記一対の支持棒の端部には、金属ピンが前記金属ピンの両端部を前記円筒状断熱ブッシュから突き出した状態で貫通させられていることにある。
【００１３】
第６発明の要旨とするところは、第１発明から第５発明のいずれか１の発明において、前記支持棒は、セラミック材料から円管状に構成されていることにある。
【００１４】
第７発明の要旨とするとろは、第１発明から第６発明のいずれか１の発明において、前記炉体に固定され、前記上下シャッター部材を収容して上下方向に案内するシャッターケースを、含み、前記シャッターケースは、上下方向に積層された断熱板材の積層体により構成されていることにある。
【００１５】
第８発明の要旨とするところは、第７発明において、前記シャッターケースを構成する前記断熱板材の積層体は、セラミックファイバーで構成され且つセラミックボンドによって相互に接着された枠状断熱板材から構成されていることにある。
【００１６】
第９発明の要旨とするところは、第１発明から第８発明のいずれか１の発明において、前記上下シャッター部材は、前記複数本の搬送ローラの芯間隔よりも大きい厚みを有することにある。
【００１７】
第１０発明の要旨とするところは、第７発明または第８発明において、前記シャッターケースは、前記被加熱材を通過させる貫通穴がそれぞれ形成された前壁および後壁と、前記前壁および後壁の幅方向の両端部をそれぞれ接続する一対の側壁とを有し、前記前壁および後壁と前記一対の側壁との間に形成された収容空間内に前記上下シャッター部材を上下方向の移動可能に収容することにある。
【００１８】
第１１発明の要旨とするところは、第１０発明において、前記シャッターケースの前記前壁および後壁の内壁面には、案内レールが上下方向にそれぞれ延設され、前記上下シャッター部材の前面および後面には、前記案内レールが嵌め入れられる凹状案内溝が形成され、前記上下シャッター部材は、前記上下シャッター部材の前面および後面が前記案内レールの前記内壁面からの突出し寸法よりも小さな間隔を前記内壁面との間に隔てた状態で、前記案内レールにより上下方向に案内されることにある。
【００１９】
第１２発明の要旨とするところは、第７発明、第８発明、第１０発明、第１１発明のいずれか１の発明において、前記シャッターケースは、前記複数本の搬送ローラのうちの隣り合う２本の搬送ローラを間に挟んで位置する一対の前記搬送ローラの間隔よりも大きい寸法の厚み寸法を有し、前記シャッターケースには、前記２本の搬送ローラを幅方向に貫通させる貫通穴と、前記一対の搬送ローラとの干渉を回避するため一対の凹溝とが形成されていることにある。
【００２０】
第１３発明の要旨とするところは、第１２発明において、前記上下シャッター部材は、前記複数本の搬送ローラの芯間隔よりも大きい厚みと、前記搬送ローラとの干渉を回避するために下端開閉面と前面および後面との間の稜部にそれぞれ形成された一対の凹溝とを有し、閉位置に下降させられた状態では、前記下端開閉面が前記搬送ローラの間に位置するものであることにある。
【００２１】
第１４発明の要旨とするところは、第１３発明において、前記シャッターケースは、前記複数本の搬送ローラの芯間隔よりも大きい厚みと、前記搬送ローラとの干渉を回避するために上端開閉面と前面および後面との間の稜部にそれぞれ形成された一対の凹溝と、前記搬送ローラの間に位置させられ、前記上下シャッター部材が前記閉位置に下降させられた状態では、前記上下シャッター部材の下端開閉面が接近させられる前記上端開閉面とを有し、前記炉体に固定された固定シャッター部材を、位置固定に収容することにある。
【００２２】
第１５発明の要旨とするところは、第１発明から第１４発明のいずれか１の発明において、前記搬送ローラの間を通して、前記上下シャッター部材の下端部から下方へ突き出す一対の支持棒と、前記炉体の下側に配置され、前記一対の支持棒を介して前記上下シャッター部材を上下方向に駆動して開位置と閉位置とに位置させるシャッター駆動装置とを、含むことにある。
【００２３】
第１６発明の要旨とするところは、第１５発明において、前記炉体は、基台フレームによって支持されており、前記基台フレームは、下側フレームと、下側フレームから上方へ突き出す支柱フレームと、支柱フレームにより支持され、前記炉体が載置される上側フレームとを有し、前記シャッター駆動装置は、前記上側フレームに設けられていることにある。
【００２４】
第１７発明の要旨とするところは、第１６発明において、前記シャッター駆動装置は、前記一対の支持棒の下端部が固定された上下プレートと、前記上側フレームに固定され、前記上下プレートを上下方向に案内する上下方向案内装置と、前記上側フレームに固定され、前記上下プレートを上下方向に駆動する減速機付電動機とを、含むことにある。
【発明の効果】
【００２５】
第１発明のローラ搬送式焼成炉のシャッター装置によれば、前記搬送ローラの間を通して上方へ突き出す一対の支持棒により支持され、前記支持棒を介して前記炉体内の空間を開閉させられる上下シャッター部材を、備え、前記上下シャッター部材は、前記一対の支持棒の端部を挟んだ状態で貼り合わせられた一対の前側断熱板および後側断熱板と、前記一対の前側断熱板および後側断熱板の上側端面にそれぞれ貼り付けられた上端側断熱板とを、含む。熱変形による反りが発生しようとしても、上端側断熱板の接着面は一対の前側断熱板および後側断熱板のはがれ方向と平行であるので、上端側断熱板によっての一対の前側断熱板および後側断熱板が相互にはがれることが好適に抑制され、上下シャッター部材が支持棒から脱落するという問題が解消される。
【００２６】
第２発明のローラ搬送式焼成炉のシャッター装置によれば、前記前側断熱板および後側断熱板と上端側断熱板とは、セラミックファイバーで構成された断熱板材であり、且つセラミックボンドによって相互に接着されている。セラミックボンドは、加熱後にはセラミックスが残留して前側断熱板および後側断熱板と上端側断熱板とを接着するので、それら前側断熱板および後側断熱板と上端側断熱板との熱膨張係数差が相互に小さいことから、上端側断熱板によっての一対の前側断熱板および後側断熱板が相互にはがれることが一層抑制され、上下シャッター部材が支持棒から脱落することが抑制される。
【００２７】
第３発明のローラ搬送式焼成炉のシャッター装置によれば、セラミックファイバーにより前記断熱板材よりも硬く構成された複数本の第１円柱状断熱補強ピンが、前記前側断熱板および後側断熱板にそれらの厚み方向に打ち込まれた状態でセラミックボンドによって接着され、前記第１円柱状断熱補強ピンと同様にセラミックファイバーにより前記断熱板材よりも硬く構成された複数本の第２円柱状断熱補強ピンが、前記前側断熱板および後側断熱板と前記上端側断熱板とに、前記上端側断熱板の厚み方向に打ち込まれた状態でセラミックボンドによって接着されている。このように、セラミックファイバーにより前記断熱板材よりも硬く構成された複数本の第１円柱状断熱補強ピンが、前記前側断熱板および後側断熱板にそれらの厚み方向に打ち込まれた状態でセラミックボンドによって接着され、同様にセラミックファイバーにより前記断熱板材よりも硬く構成された複数本の第２円柱状断熱補強ピンが、前記前側断熱板および後側断熱板と前記上端側断熱板とに、前記上端側断熱板の厚み方向に打ち込まれた状態でセラミックボンドによって接着されているので、一対の断熱板材が相互にはがれることが一層抑制され、上下シャッター部材が支持棒から脱落することが防止される。
【００２８】
第４発明のローラ搬送式焼成炉のシャッター装置によれば、前記一対の支持棒の上端部には、セラミックファイバーにより前記断熱板材よりも硬く構成された円筒状断熱ブッシュが固定されており、前記一対の前側断熱板および後側断熱板の合わせ面には、前記一対の支持棒を嵌め入れる小径凹溝と、前記一対の支持棒の端部に固定された円筒状断熱ブッシュを嵌め入れる大径凹溝とが、連続して形成される。このように、セラミックファイバーにより前記断熱板材よりも硬く構成された円筒状断熱ブッシュが支持棒の上端部に固定されており、前記一対の前側断熱板および後側断熱板は、その円筒状断熱ブッシュを挟んで相互にセラミックボンドにより接着されているので、一対の前側断熱板および後側断熱板が相互にはがれることが一層抑制され、上下シャッター部材が支持棒から脱落することが防止される。
【００２９】
第５発明のローラ搬送式焼成炉のシャッター装置によれば、前記円筒状断熱ブッシュが固定された前記一対の支持棒の端部には、金属ピンが前記金属ピンの両端部を前記円筒状断熱ブッシュから突き出した状態で貫通させられている。これにより、支持棒が金属ピンによって一対の前側断熱板および後側断熱板または円筒状断熱ブッシュに強固に固定される。
【００３０】
第６発明のローラ搬送式焼成炉のシャッター装置によれば、前記支持棒は、セラミック材料から円管状に構成されている。これにより、支持棒が同系の材料によって構成されているので、支持棒がセラミックボンドによって一対の前側断熱板および後側断熱板または円筒状断熱ブッシュに強固に接着される。
【００３１】
第７発明のローラ搬送式焼成炉のシャッター装置によれば、前記炉体に固定され、前記上下シャッター部材を収容して上下方向に案内するシャッターケースを、含み、前記シャッターケースは、上下方向に積層された断熱板材の積層体により構成されている。このことから、前記上下シャッター部材を収容する前記シャッターケースの熱変形を抑制することができる。これにより、前記上下シャッター部材とそれを収容する前記シャッターケースとの間で干渉が発生し、摩耗粉が炉内に散乱することが、解消される。
【００３２】
第８発明のローラ搬送式焼成炉のシャッター装置によれば、前記シャッターケースを構成する前記断熱板材の積層体は、セラミックファイバーで構成され且つセラミックボンドによって相互に接着された枠状断熱板材から構成されている。これにより、前記シャッターケースの剛性が高められるので、前記上下シャッター部材を収容する前記シャッターケースの熱変形が一層抑制される。
【００３３】
第９発明のローラ搬送式焼成炉のシャッター装置によれば、前記上下シャッター部材は、前記複数本の搬送ローラの芯間隔よりも大きい厚みを有する。これにより、高い断熱性が得られるので、前記上下シャッター部材で分割された加熱領域間の断熱性能が高められ、処理空間（加熱領域）Ｚ間の温度差を急峻に形成できる。また、炉長を短縮することができる。
【００３４】
第１０発明のローラ搬送式焼成炉のシャッター装置によれば、前記シャッターケースは、前記被加熱材を通過させる貫通穴がそれぞれ形成された前壁および後壁と、前記前壁および後壁の幅方向の両端部をそれぞれ接続する一対の側壁とを有し、前記前壁および後壁と前記一対の側壁との間に形成された収容空間内に前記上下シャッター部材を上下方向の移動可能に収容する。これにより、前記上下シャッター部材で分割された加熱領域間の断熱性能が高められ、処理空間（加熱領域）Ｚ間の温度差を急峻に形成できる。また、炉長を短縮することができる。
【００３５】
第１１発明のローラ搬送式焼成炉のシャッター装置によれば、前記シャッターケースの前記前壁および後壁の内壁面には、案内レールが上下方向にそれぞれ延設され、前記上下シャッター部材の前面および後面には、前記案内レールが嵌め入れられる凹状案内溝が形成され、前記上下シャッター部材は、前記上下シャッター部材の前面および後面が前記案内レールの前記内壁面からの突出し寸法よりも小さな間隔を前記内壁面との間に隔てた状態で、前記案内レールにより上下方向に案内される。これにより、前記上下シャッター部材は、前記上下シャッター部材の前面および後面が前記案内レールの内壁面からの突出し寸法よりも小さな間隔ｋを内壁面との間に隔てた状態で、前記案内レールにより上下方向に案内されるので、前記上下シャッター部材とそれを収容する前記シャッターケースとの間で干渉が防止されるとともに、前記上下シャッター部材で分割された処理空間（加熱領域）Ｚ間の断熱性能が高められる。
【００３６】
第１２発明のローラ搬送式焼成炉のシャッター装置によれば、前記シャッターケースは、前記複数本の搬送ローラのうちの隣り合う２本の搬送ローラを間に挟んで位置する一対の前記搬送ローラの間隔よりも大きい寸法の厚み寸法を有し、前記シャッターケースには、前記２本の搬送ローラを幅方向に貫通させる貫通穴と、前記一対の搬送ローラとの干渉を回避するため一対の凹溝とが形成されている。これにより、前記上下シャッター部材全体が比較的肉厚の断熱材により構成できるので、加熱領域間の断熱性能が充分に得られ、加熱領域間の温度差を急峻に形成できる。また、前記搬送ローラ間の間隔を小さくでき、小さな被加熱物の搬送を安定して行なうことができる利点がある。
【００３７】
第１３発明のローラ搬送式焼成炉のシャッター装置によれば、前記上下シャッター部材は、前記複数本の搬送ローラの芯間隔よりも大きい厚みと、前記搬送ローラとの干渉を回避するために下端開閉面と前面および後面との間の稜部にそれぞれ形成された一対の凹溝とを有し、閉位置に下降させられた状態では、前記下端開閉面が前記搬送ローラの間に位置する。これにより、前記上下シャッター部材全体が比較的肉厚の断熱材により構成できるので、加熱領域間の断熱性能が充分に得られ、加熱領域間の温度差を急峻に形成できる。また、前記搬送ローラ間の間隔を小さくでき、小さな被加熱物の搬送を安定して行なうことができる利点がある。
【００３８】
第１４発明のローラ搬送式焼成炉のシャッター装置によれば、前記シャッターケースは、前記複数本の搬送ローラの芯間隔よりも大きい厚みと、前記搬送ローラとの干渉を回避するために上端開閉面と前面および後面との間の稜部にそれぞれ形成された一対の凹溝と、前記搬送ローラの間に位置させられ、前記上下シャッター部材が前記閉位置に下降させられた状態では、前記上下シャッター部材の下端開閉面が接近させられる前記上端開閉面とを有し、前記炉体に固定された固定シャッター部材を、位置固定に収容する。これにより、前記上下シャッター部材全体が比較的肉厚の断熱材により構成できるので、加熱領域間の断熱性能が充分に得られ、加熱領域間の温度差を急峻に形成できる。また、前記搬送ローラ間の間隔を小さくでき、小さな被加熱物の搬送を安定して行なうことができる利点がある。
【００３９】
第１５発明のローラ搬送式焼成炉のシャッター装置によれば、前記搬送ローラの間を通して、前記上下シャッター部材の下端部から下方へ突き出す一対の支持棒と、前記炉体の下側に配置され、前記一対の支持棒を介して前記上下シャッター部材を上下方向に駆動して開位置と閉位置とに位置させるシャッター駆動装置とを、含む。このように、シャッター駆動装置は、炉体の下側に配置されていることから、炉体の熱の影響を受け難いので、上下シャッター部材を上下に駆動するシャッター駆動装置に大がかりな冷却機構装置を設ける必要がない。
【００４０】
第１６発明のローラ搬送式焼成炉のシャッター装置によれば、前記炉体は、基台フレームによって支持されており、前記基台フレームは、下側フレームと、下側フレームから上方へ突き出す支柱フレームと、支柱フレームにより支持され、前記炉体が載置される上側フレームとを有し、前記シャッター駆動装置は、前記上側フレームに設けられている。このように、シャッター駆動装置は、基台フレームのうちの上側フレームに設けられていることから、シャッター駆動装置による上下シャッター部材に対する位置ずれが抑制されるので、機械的強度が比較的低い上下シャッター部材の消耗が抑制される。
【００４１】
第１７発明のローラ搬送式焼成炉のシャッター装置によれば、前記シャッター駆動装置は、前記一対の支持棒の下端部が固定された上下プレートと、前記上側フレームに固定され、前記上下プレートを上下方向に案内する上下方向案内装置と、前記前記上側フレームに固定され、前記上下プレートを上下方向に駆動する減速機付電動機とを、含む。これにより、上下方向案内装置や減速機付電動機について、の大がかりな冷却装置を必要とせず、特別な耐熱性が要求されることがないので、一般的な性能の上下方向案内装置や減速機付電動機を用いることができる。
【図面の簡単な説明】
【００４２】
【図１】本発明の一実施例のローラ搬送式焼成炉を示す側面図である。
【図２】図１のローラ搬送式焼成炉において、炉壁とシャッター装置との関係を説明する水平断面図である。
【図３】図１のローラ搬送式焼成炉のIII−III視断面を拡大して示す図である。
【図４】図１のローラ搬送式焼成炉内に設けられているシャッター装置を拡大して示す図である。
【図５】図４の上下シャッター部材を収容するシャッターケースを示す斜視図である。
【図６】図４の上下シャッター部材がシャッターケース内に収容された状態を示す平面図である。
【図７】図４の上下シャッター部材の構成を、一部を切り欠いて説明する図である。
【発明を実施するための形態】
【００４３】
以下、本発明のローラ搬送式焼成炉のシャッター装置の一実施例について図面を参照して詳細に説明する。
【実施例】
【００４４】
図１は、本発明の一例である複数の開閉可能なシャッター装置Ｓ１〜Ｓ７を複数個所に備えたローラ搬送式焼成炉（以下、焼成炉という）１２の側面図である。図２は、シャッター装置Ｓ１〜Ｓ７と焼成炉１２の炉壁２４と関係を説明する水平断面図である。焼成炉１２は、基台フレーム１４と基台フレーム１４に支持されたトンネル状の炉体１６とを備えている。基台フレーム１４は、下側フレーム１８と、下側フレーム１８から上方へ突き出す複数本の支柱フレーム２０と、支柱フレーム２０により支持され、炉体１６が載置される上側フレーム２２とを有している。
【００４５】
炉体１６は、たとえばバルクファイバーに無機フィラーと無機・有機結合材とを添加して板状に成形したセラミックファイバーボードが厚み方向に積み重ねられた断熱材によって構成された炉壁２４と、炉壁２４内において入口１６ａから出口１６ｂへ向かって形成された加熱領域すなわち処理空間Ｚとを備えている。そして、その処理空間Ｚは、炉体１６の長手方向において複数個所（本実施例では７個所）に設けられたシャッター装置Ｓ１〜Ｓ７および隔壁ＰＷによって７つの処理空間Ｚ１〜Ｚ７に分割され、それら７つの処理空間Ｚ１〜Ｚ７のうちのＺ１とＺ２とＺ３〜Ｚ４とＺ５とＺ６とＺ７とはシャッター装置Ｓ１〜Ｓ７によって熱的および雰囲気的に遮蔽されるようになっている。また、処理空間Ｚ３とＺ４との間は、同じ温度および雰囲気（酸素濃度）であるが、たとえば処理空間Ｚ３とＺ４との温度制御を容易とするための隔壁ＰＷが介在させられている。なお、処理空間Ｚ４とＺ５との間には、相互の温度差が大きいため、隔壁ＰＷがシャッター装置Ｓ４に重ねて設けられている。
【００４６】
図３は焼成炉１２の横断面すなわち図１のIII−III視断面を拡大して示す図である。炉壁２４は、炉壁２４の上面を覆う上面カバープレート２８ａと、炉壁２４の一対の側面を覆う側面カバープレート２８ｂおよび２８ｃと、炉壁２４の底面を覆う底面カバープレート２８ｄとによって保護されている。それらの上面カバープレート２８ａと、一対の側面カバープレート２８ｂおよび２８ｃと、底面カバープレート２８ｄとは、炉体１６の長手方向に沿った端縁部において相互にボルト２８ｅにより締結されると共に、側面カバープレート２８ｂおよび２８ｃと底面カバープレート２８ｄの端縁部とは、上側フレーム２２の側縁部にボルト２８ｅの共締めにより固定されている。
【００４７】
炉壁２４には、炉体１６の幅方向に貫通する複数本の搬送ローラ２６が入口１６ａから出口１６ｂへ向って所定間隔で配設されている。これらの搬送ローラ２６は、たとえばアルミナ製等の耐熱性能の高い管状体である。搬送ローラ２６は、図３に示すように、炉体１６から外へ突き出した両端部を、炉壁２４の側面を覆う一対の側面カバープレート２８ｂおよび２８ｃに設けられた一対の搬送ローラ支持装置３０によってそれぞれ回転可能に支持され、一対の搬送ローラ支持装置３０の一方が上側フレーム２２に設けられた搬送ローラ駆動装置３２に駆動チェーン３８を介してそれぞれ連結されることで、複数本の搬送ローラ２６が、処理空間Ｚ７以外は等間隔で配置され、一様な方向および回転速度で間欠的に回転駆動される。これにより、搬送ローラ２６に載置された搬送プレート３４上の被加熱材３６は、入口１６ａから出口１６ｂへ向かって搬送される過程で、所定の熱処理が施されるようになっている。焼成炉１２は、所謂トンネル式焼成炉（ローラハースキルン）である。
【００４８】
一対の搬送ローラ支持装置３０は、ベアリングによって水平な軸線まわりに回転可能に支持され、管状体である搬送ローラ２６の軸端に嵌め入れられる支持ロッド３０ａと、支持ロッド３０ａと同心に設けられ、搬送ローラ２６の端面を炉体１６側へ付勢するスプリング３０ｂとを備えている。複数本の搬送ローラ２６を支持する前記一方の搬送ローラ支持装置３０は、スプロケット３０ｃをそれぞれ備えており、同期チェーン４０によって相互に連結されている。また、前記一方の搬送ローラ支持装置３０の複数毎に、および、搬送ローラ駆動装置３２に、スプロケット３３が設けられており、それらスプロケット３３に駆動チェーン３８が巻き掛けられている。
【００４９】
炉体１６の長手方向において複数個所（本実施例では７個所）に設けられたシャッター装置Ｓ１〜Ｓ７および隔壁ＰＷによって分割された７つの処理空間Ｚ１〜Ｚ７には、両端部が炉壁２４によって支持された複数本のヒータＨが、加熱源として搬送ローラ２６の上下に位置するようにそれぞれ配設されている。また、たとえばガス浸炭処理を行なうためのガス雰囲気を形成するためのガス注入管ＧＰや、図示しない温度センサがそれぞれ設けられている。
【００５０】
たとえば、空炉（無負荷）時において、７つの処理空間のうちの第１処理（脱脂）空間Ｚ１の温度および酸素濃度は、たとえば８００℃および１００ｐｐｍ、第２処理（予熱）空間Ｚ２の温度および酸素濃度は、たとえば１０００℃および８０ｐｐｍ、第３処理（予熱）空間Ｚ３の温度および酸素濃度は、たとえば１１１５℃および１０ｐｐｍ、第４処理（焼結）空間Ｚ４の温度および酸素濃度は、たとえば１１１５℃および１０ｐｐｍ、第５処理（徐冷）空間Ｚ５の温度および酸素濃度は、たとえば５００℃および１０ｐｐｍ、第６処理（徐冷）空間Ｚ６の温度および酸素濃度は、たとえば５０℃および１０ｐｐｍ、第７処理（徐冷）空間Ｚ７の温度および酸素濃度は、たとえば５０℃および１０ｐｐｍとなるように、図示しない温度制御装置および雰囲気制御装置によって温度および雰囲気が独立してそれぞれ制御される。これにより、入口１６ａ〜第１処理（脱脂）空間Ｚ１において、常温から８００℃の急速昇温が達成され、第１処理（脱脂）空間Ｚ１〜第３処理（予熱）空間Ｚ３において、脱脂処理（１００ｐｐｍ）から焼結処理（１０ｐｐｍ）まで、３ゾーンで達成される。
【００５１】
シャッター装置Ｓ１〜Ｓ７は、略同様に構成されているので、図１の縦断面である図４に表れたシャッター装置Ｓ１を代表させて説明する。シャッター装置Ｓ１は、炉体１６内に形成された処理空間Ｚ１と入口１６ａとの間において炉体１６に固定され、上端開閉面４２を有する固定シャッター部材４４と、上端開閉面４２に当接可能な下端開閉面４６を有し、炉体１６内に形成された処理空間Ｚ１と入口１６ａとの間を開閉する上下シャッター部材４８と、搬送ローラ２６の間を通して上下シャッター部材４８から下方へ突き出す一対の支持棒５０と、炉体１６の下側に配置されたシャッター駆動装置５２とを備えている。
【００５２】
シャッター駆動装置５２は、一対の支持棒５０を介して上下シャッター部材４８を上下方向に駆動し、上下シャッター部材４８の下端開閉面４６を上端開閉面４２から離隔させる開位置と、上下シャッター部材４８の下端開閉面４６を固定シャッター部材４４の上端開閉面４２に当接する閉位置とに位置させる。図４において、実線で示す上下シャッター部材４８は開位置を示し、破線で示す上下シャッター部材４８は閉位置を示している。
【００５３】
固定シャッター部材４４および上下シャッター部材４８は、隣接する２本の搬送ローラ２６の配置間隔ｄ１、好適には隣接する２本の搬送ローラ２６の芯間隔ｐよりも大きい厚みｔ２およびｔ１をそれぞれ有する、セラミックファイバーから成る断熱材から構成されている。この断熱材は、たとえばセラミックファイバーに無機フィラーと無機・有機結合材とを添加して成形された、１３００℃程度の耐熱温度と０．３（ｇ／ｃｍ３）程度の密度を有するものである。セラミックファイバーとは、高純度のアルミナ・シリカを主成分とした人造無機繊維である。また、支持棒５０は、たとえばセラミック材料たとえばアルミナを主成分とする材料から円管状に形成され、高い耐熱性を備えている。
【００５４】
固定シャッター部材４４の上端開閉面４２と被加熱材３６の搬送方向に向かう前面４４ａおよび被加熱材３６の搬送方向に対向する後面４４ｂとの間の一対の陵部には、搬送ローラ２６との干渉を回避するための一対の凹溝４４ｃ、４４ｄがそれぞれ形成されている。また、上下シャッター部材４８の下端開閉面４６と被加熱材３６の搬送方向に向かう前面４８ａおよび被加熱材３６の搬送方向に対向する後面４８ｂとの間の一対の陵部には、搬送ローラ２６との干渉を回避するための一対の凹溝４８ｃ、４８ｄがそれぞれ形成されている。これにより、上下シャッター部材４８の閉位置では、固定シャッター部材４４の上端開閉面４２と上下シャッター部材４８の下端開閉面４６とが、搬送ローラ２６の間に位置させられて、相互に接近或いは接触させられるので、加熱領域間の断熱性能が充分に得られ、処理空間Ｚ１と入口１６ａとの間すなわち処理空間Ｚ１に対応する加熱領域Ｚ１と入口１６ａに対応する炉外領域との間の温度差を急峻に形成できる。また、たとえば、加熱領域Ｚ２とＺ３との間を開閉するシャッター装置Ｓ３であれば、加熱領域Ｚ２とＺ３との間の温度差を急峻に形成できる。
【００５５】
シャッター駆動装置５２は、基台フレーム１４のうち、炉体１６が載置される上側フレーム２２に設けられている。シャッター駆動装置５２は、一対の支持棒５０の下端部が固定された上下プレート５４と、上側フレーム２２に固定され、上下プレート５４を上下方向に案内する上下方向案内装置５６と、上側フレーム２２に固定され、上下プレート５４を上下方向に駆動する減速機付電動機５８とを、備えている。
【００５６】
上側フレーム２２には、下方へ向かって伸びる固定ブラケット６０が固定されており、その固定ブラケット６０には、上下プレート５４に固定された案内ブッシュ６２と、案内ブッシュ６２を上下方向に案内する案内ロッド６４とが固定されている。また、固定ブラケット６０の下部には、減速機付電動機５８が備えられ、減速機付電動機５８の出力軸に固定されたスプロケット６６と固定ブラケット６０の上部に回転可能に設けられたスプロケット６８（図３を参照）とには、駆動チェーン７０が上下方向に巻き掛けられている。また、図３に示すように、駆動チェーン７０の一部を上下プレート５４に固定する駆動チェーン固定具７２が設けられており、減速機付電動機５８によって上下シャッター部材４８が上下方向に駆動されるようになっている。上記上下プレート５４に固定された案内ブッシュ６２と、案内ブッシュ６２を上下方向に案内する案内ロッド６４とが、上下方向案内装置５６として機能し、上記スプロケット６６およびスプロケット６８に巻掛けられた駆動チェーン７０と減速機付電動機５８とが、シャッター駆動装置５２の一部として機能している。
【００５７】
図５はシャッターケース７６を示す斜視図であり、図６はシャッターケース７６を示す平面図である。シャッター装置Ｓ１は、図５および図６に示すように、炉体１６に固定され、上下シャッター部材４８を収容して上下方向に案内するシャッターケース７６を備えている。このシャッターケース７６は、上下方向に積層されたセラミックファイバーから成る断熱板材ＣＦＢが、積層状態でセラミックボンドにより接着されることで構成されている。この断熱板材ＣＦＢは、セラミックファイバーに無機フィラーと無機・有機結合材とを添加した枠状に成形された枠状断熱材であって、１３００℃程度の耐熱温度と０．３（ｇ／ｃｍ３）程度の密度を有するものである。セラミックボンドとは、たとえば高純度アルミナ或いは高純度シリカを主成分とする１液性接着剤であり、たとえば１００℃〜１５０℃の硬化温度、１５００℃程度の耐熱温度、４０×１０−７／Ｋ程度の熱膨張係数、１５（ｋｇ／ｃｍ２）程度の接着強度を有する。
【００５８】
シャッターケース７６は、被加熱材３６を通過させる貫通穴７８がそれぞれ形成された、被加熱材３６の搬送方向下流側に位置する前壁７６ａおよび被加熱材３６の搬送方向上流側に位置する後壁７６ｂと、前壁７６ａおよび後壁７６ｂの幅方向の両端部を連結する一対の側壁７６ｃとを有し、前壁７６ａおよび後壁７６ｂと一対の側壁７６ｃとの間に形成された収容空間内に上下シャッター部材４８を上下方向の移動可能に収容する。
【００５９】
シャッターケース７６の前壁７６ａおよび後壁７６ｂの内壁面には、上下方向に伸びる円形断面を有する各一対の案内レール８０が上下方向に延設され、上下シャッター部材４８の前面４８ａおよび後面４８ｂには、各一対の案内レール８０が嵌め入れられる凹状案内溝４８ｅ、４８ｆが形成されている。これにより、上下シャッター部材４８は、上下シャッター部材４８の前面４８ａおよび後面４８ｂが案内レール８０の内壁面からの突出し寸法よりも小さな間隔ｋをシャッターケース７６の前壁７６ａおよび後壁７６ｂの内壁面との間に隔てた状態で、案内レール８０により上下方向に案内されるようになっている。
【００６０】
シャッターケース７６は、複数本の搬送ローラ２６の芯間隔ｐよりも３倍程度に大きい厚み寸法Ｔと、搬送ローラ２６を貫通させる一対の貫通穴７６ｄおよび７６ｅと、搬送ローラ２６との干渉を回避するためにシャッターケース７６の前壁７６ａおよび後壁７６ｂにそれぞれ形成された一対の凹溝７６ｆおよび７６ｇとを備え、上下シャッター部材４８が閉位置に位置させられた状態では、被加熱材３６を通過させる貫通穴７８が上下シャッター部材４８によって閉じられるようになっている。なお、シャッターケース７６の厚み寸法Ｔは、２本の搬送ローラ２６を挟む一対の搬送ローラ２６の間隔ｄ２（図４を参照）よりも大きい。
【００６１】
図７は、上下シャッター部材４８の構成を、一部を切り欠いて説明する図である。上下シャッター部材４８は、一対の支持棒５０の上端部を挟む状態でセラミックボンドによって相互の合わせ面が接着されることにより一体的に固定された一対の前側断熱板８２および後側断熱板８４と、それら一対の前側断熱板８２および後側断熱板８４の一対の支持棒５０とは反対側の端面すなわち上側端面８２ａ、８４ａにセラミックボンドによってそれぞれ接着されることにより一体的に固定された共通の上端側断熱板８６とを備えている。前側断熱板８２および後側断熱板８４と上端側断熱板８６とは、たとえばセラミックバルクファイバーに無機フィラーと無機・有機結合材とを添加して板状に成形したセラミックファイバーボードから構成されている。
【００６２】
前側断熱板８２および後側断熱板８４には、たとえばセラミックバルクファイバーに無機フィラーと無機・有機結合材とを添加してそれら前側断熱板８２および後側断熱板８４よりも硬く円柱状に形成され、前側断熱板８２および後側断熱板８４の厚み寸法と同じ長さを有する複数本（図示しないが本実施例では３本）の第１円柱状断熱補強ピン８８が、上下シャッター部材４８の幅方向において等間隔で、前側断熱板８２および後側断熱板８４の厚み方向に打ち込まれ、且つセラミックボンドにより固定されている。
【００６３】
また、第１円柱状断熱補強ピン８８と同様に、セラミックバルクファイバーに無機フィラーと無機・有機結合材とを添加してそれら前側断熱板８２および後側断熱板８４よりも硬く円柱状に形成された複数本（本実施例では６本）の第２円柱状断熱補強ピン９０が、上端側断熱板８６を通して前側断熱板８２および後側断熱板８４に支持棒５０と平行な方向にそれぞれ打ち込まれ、且つセラミックボンドにより固定されている。
【００６４】
一対の支持棒５０の上端部には、第１円柱状断熱補強ピン８８および第２円柱状断熱補強ピン９０と同様に、セラミックバルクファイバーに無機フィラーと無機・有機結合材とを添加してそれら前側断熱板８２および後側断熱板８４よりも硬く円筒状に形成された円筒状断熱ブッシュ９２がそれぞれ嵌め付けられ、セラミックボンドにより固定されている。
【００６５】
前側断熱板８２および後側断熱板８４の合わせ面には、一対の支持棒５０を嵌め入れる一対の小径凹溝９４と、一対の支持棒５０の上端部に固定された一対の円筒状断熱ブッシュ９２を嵌め入れる大径凹溝９６とが、上下方向に連続して生成されている。そして、一対の支持棒５０の上端部には、耐熱合金製たとえばステンレス鋼製の複数本（本実施例では２本）の金属ピン９８が金属ピン９８の両端部が円筒状断熱ブッシュ９２から前側断熱板８２および後側断熱板８４の合わせ面の方向に突き出た状態で、それぞれ固定されている。
【００６６】
一対の支持棒５０とそれを嵌め入れる一対の小径凹溝９４との間、および、一対の支持棒５０の上端部に固定された一対の円筒状断熱ブッシュ９２とそれを嵌め入れる大径凹溝９６との間も、前側断熱板８２および後側断熱板８４の合わせ面がセラミックボンドにより接着されると同時に、セラミックボンドにより接着されている。なお、炉体１６の底部には、図４に示すように、一対の支持棒５０を下方へ貫通させる支持棒貫通孔１００が形成されており、支持棒貫通孔１００の開口と支持棒５０の下端部に固定された円板状の蛇腹連結部材１０２との間には、蛇腹１０４が配設されている。
【００６７】
以上のように構成された本実施例の焼成炉（ローラ搬送式焼成炉）１２のシャッター装置Ｓ１〜Ｓ７によれば、搬送ローラ２６の間を通して上下シャッター部材４８の下端部から下方へ突き出す一対の支持棒５０により支持され、支持棒５０を介して炉体１６内の空間を開閉させられる上下シャッター部材４８を、備え、上下シャッター部材４８は、一対の支持棒５０の端部を挟んだ状態で貼り合わせられた一対の前側断熱板８２および後側断熱板８４と、一対の前側断熱板８２および後側断熱板８４の一対の支持棒５０側とは反対側の上側端面８２ａ、８４ａにそれぞれ貼り付けられた上端側断熱板８６とを、含む。前側断熱板８２および後側断熱板８４に互いに離反する方向の熱変形による反りが発生しようとしても、上端側断熱板８６の接着面は一対の前側断熱板８２および後側断熱板８４のはがれ方向と平行であるので、上端側断熱板８６によっての一対の前側断熱板８２および後側断熱板８４が相互にはがれることが好適に抑制され、上下シャッター部材４８が支持棒５０から脱落するという問題が解消される。
【００６８】
また、本実施例の焼成炉（ローラ搬送式焼成炉）１２のシャッター装置Ｓ１〜Ｓ７において、前側断熱板８２および後側断熱板８４と上端側断熱板８６とは、セラミックファイバーで構成された断熱板材であり、且つセラミックボンドによって相互に接着されている。セラミックボンドは、加熱後にはセラミックスが残留して前側断熱板８２および後側断熱板８４と上端側断熱板８６とを接着するので、それら前側断熱板８２および後側断熱板８４と上端側断熱板８６との熱膨張係数差が相互に小さいことから、上端側断熱板８６によっての一対の前側断熱板８２および後側断熱板８４が相互にはがれることが一層抑制され、上下シャッター部材４８が支持棒５０から脱落することが抑制される。
【００６９】
また、本実施例の焼成炉（ローラ搬送式焼成炉）１２のシャッター装置Ｓ１〜Ｓ７において、セラミックファイバーにより繊維性断熱板材（前側断熱板８２、後側断熱板８４、および、上端側断熱板８６）よりも硬く構成された複数本の第１円柱状断熱補強ピン８８が、前側断熱板８２および後側断熱板８４にその厚み方向に打ち込まれた状態でセラミックボンドによって接着されている。また、第２円柱状断熱補強ピン９０が、前側断熱板８２および後側断熱板８４と上端側断熱板８６とに、上端側断熱板８６の厚み方向に打ち込まれた状態でセラミックボンドによって接着されている。このように、セラミックファイバーにより繊維性断熱板材よりも硬く構成された複数本の第１円柱状断熱補強ピン８８が、前記前側断熱板および後側断熱板にそれらの厚み方向に打ち込まれた状態でセラミックボンドによって接着され、第１円柱状断熱補強ピンと同様にセラミックファイバーにより前記繊維性断熱板材よりも硬く構成された複数本の第２円柱状断熱補強ピン９０が、前側断熱板８２および後側断熱板８４に、およびそれら前側断熱板８２および後側断熱板８４と上端側断熱板８６とに打ち込まれた状態でセラミックボンドによって接着されているので、一対の繊維性断熱板材である前側断熱板８２および後側断熱板８４の間、および前側断熱板８２および後側断熱板８４と上端側断熱板８６とが相互にはがれることが一層抑制され、上下シャッター部材４８が支持棒５０から脱落することが防止される。
【００７０】
また、本実施例の焼成炉（ローラ搬送式焼成炉）１２のシャッター装置Ｓ１〜Ｓ７において、一対の支持棒５０の上端部には、セラミックファイバーにより前記断熱板材よりも硬く構成された円筒状断熱ブッシュ９２が固定されており、一対の前側断熱板８２および後側断熱板８４の合わせ面には、一対の支持棒５０を嵌め入れる小径凹溝９４と、一対の支持棒５０の上端部に固定された円筒状断熱ブッシュ９２を嵌め入れる大径凹溝９６とが、連続して形成される。このように、セラミックファイバーにより前記断熱板材よりも硬く構成された円筒状断熱ブッシュ９２が支持棒５０の上端部に固定されており、一対の前側断熱板８２および後側断熱板８４は、その円筒状断熱ブッシュ９２を挟んで相互にセラミックボンドにより接着されているので、一対の繊維性断熱板材（前側断熱板８２および後側断熱板８４）が相互にはがれることが一層抑制され、上下シャッター部材４８が支持棒５０から脱落することが防止される。
【００７１】
また、本実施例の焼成炉（ローラ搬送式焼成炉）１２のシャッター装置Ｓ１〜Ｓ７において、円筒状断熱ブッシュ９２が固定された一対の支持棒５０の上端部には、金属ピン９８が金属ピン９８の両端部を円筒状断熱ブッシュ９２から突き出した状態で貫通させられている。これにより、支持棒５０が金属ピン９８によって一対の繊維性断熱板材（前側断熱板８２および後側断熱板８４）または円筒状断熱ブッシュ９２に強固に固定される。
【００７２】
また、本実施例の焼成炉（ローラ搬送式焼成炉）１２のシャッター装置Ｓ１〜Ｓ７において、支持棒５０は、セラミック材料から円管状に構成されている。これにより、支持棒５０が一対の繊維性断熱板材（前側断熱板８２および後側断熱板８４）または円筒状断熱ブッシュ９２と同系のセラミック材料によって構成されているので、支持棒５０がセラミックボンドによって一対の繊維性断熱板材（前側断熱板８２および後側断熱板８４）または円筒状断熱ブッシュ９２に強固に接着される。
【００７３】
また、本実施例の焼成炉（ローラ搬送式焼成炉）１２のシャッター装置Ｓ１〜Ｓ７は、炉体１６に固定され、上下シャッター部材４８を収容して上下方向に案内するシャッターケース７６を、含み、シャッターケース７６は、上下方向に積層された断熱板材の積層体により構成されている。このことから、上下シャッター部材４８を収容するシャッターケース７６の熱変形を抑制することができる。これにより、上下シャッター部材４８とそれを収容するシャッターケース７６との間で干渉が発生し、摩耗粉が炉内に散乱することが、解消される。
【００７４】
また、本実施例の焼成炉（ローラ搬送式焼成炉）１２のシャッター装置Ｓ１〜Ｓ７において、シャッターケース７６を構成する断熱板材ＣＦＢの積層体は、セラミックファイバーで構成され且つセラミックボンドによって相互に接着された枠状断熱板材から構成されている。これにより、シャッターケース７６の剛性が高められるので、上下シャッター部材４８を収容するシャッターケース７６の熱変形が一層抑制される。
【００７５】
また、本実施例の焼成炉（ローラ搬送式焼成炉）１２のシャッター装置Ｓ１〜Ｓ７において、上下シャッター部材４８は、複数本の搬送ローラ２６の芯間隔ｐよりも大きい厚みｔ１を有することから、高い断熱性が得られるので、上下シャッター部材４８で分割された加熱領域間の断熱性能が高められ、処理空間（加熱領域）Ｚ間の温度差を急峻に形成できる。また、炉長を短縮することができる。
【００７６】
また、本実施例の焼成炉（ローラ搬送式焼成炉）１２のシャッター装置Ｓ１〜Ｓ７において、シャッターケース７６は、被加熱材３６を通過させる貫通穴７８がそれぞれ形成された前壁７６ａおよび後壁７６ｂと、前壁７６ａおよび後壁７６ｂの幅ｗ方向の両端部をそれぞれ接続する一対の側壁７６ｃとを有し、前壁７６ａおよび後壁７６ｂと一対の側壁７６ｃとの間に形成された収容空間内に上下シャッター部材４８が上下方向の移動可能に収容される。これにより、上下シャッター部材４８で分割された加熱領域間の断熱性能が高められ、処理空間（加熱領域）Ｚ間の温度差を急峻に形成できる。また、炉長を短縮することができる。
【００７７】
また、本実施例の焼成炉（ローラ搬送式焼成炉）１２のシャッター装置Ｓ１〜Ｓ７において、シャッターケース７６の前壁７６ａおよび後壁７６ｂの内壁面には、案内レール８０が上下方向にそれぞれ延設され、上下シャッター部材４８の前面４８ａおよび後面４８ｂには、案内レール８０が嵌め入れられる凹状案内溝４８ｅおよび４８ｆが形成され、上下シャッター部材４８は、上下シャッター部材４８の前面４８ａおよび後面４８ｂが案内レール８０の内壁面からの突出し寸法よりも小さな間隔ｋを内壁面との間に隔てた状態で、案内レール８０により上下方向に案内される。これにより、上下シャッター部材４８は、上下シャッター部材４８の前面４８ａおよび後面４８ｂが案内レール８０の内壁面からの突出し寸法よりも小さな間隔ｋを内壁面との間に隔てた状態で、案内レール８０により上下方向に案内されるので、上下シャッター部材４８とそれを収容するシャッターケース７６との間で干渉が防止されるとともに、上下シャッター部材４８で分割された処理空間（加熱領域）Ｚ間の断熱性能が高められる。
【００７８】
また、本実施例の焼成炉（ローラ搬送式焼成炉）１２のシャッター装置Ｓ１〜Ｓ７において、シャッターケース７６は、複数本の搬送ローラ２６のうちの隣り合う２本の搬送ローラ２６を間に挟んで位置する一対の搬送ローラ２６の間隔ｄ２よりも大きい寸法の厚み寸法Ｔを有し、シャッターケース７６には、隣り合う２本の搬送ローラ２６の外側に隣接する２本の搬送ローラ２６を幅方向に貫通させる貫通穴７６ｄ、７６ｅと、一対の搬送ローラ２６との干渉を回避するため一対の凹溝７６ｆ、７６ｇとが形成されている。このことから、上下シャッター部材４８全体が比較的肉厚の断熱材により構成できるので、加熱領域間の断熱性能が充分に得られ、加熱領域間の温度差を急峻に形成できる。また、搬送ローラ２６間の間隔を小さくでき、小さな被加熱物の搬送を安定して行なうことができる利点がある。
【００７９】
また、本実施例の焼成炉（ローラ搬送式焼成炉）１２のシャッター装置Ｓ１〜Ｓ７において、上下シャッター部材４８は、隣り合う２本の搬送ローラ２６の芯間隔ｐよりも大きい厚みｔ１と、隣り合う２本の搬送ローラ２６との干渉を回避するために下端開閉面４６と前面４８ａおよび後面４８ｂとの間の稜部にそれぞれ形成された一対の凹溝４８ｃ、４８ｄとを有し、前記閉位置に下降させられた状態では、下端開閉面４６が搬送ローラ２６の間に位置する。このことから、上下シャッター部材４８全体が比較的肉厚の断熱材により構成できるので、加熱領域間の断熱性能が充分に得られ、加熱領域間の温度差を急峻に形成できる。また、搬送ローラ２６間の間隔を小さくでき、小さな被加熱物の搬送を安定して行なうことができる利点がある。
【００８０】
また、本実施例の焼成炉（ローラ搬送式焼成炉）１２のシャッター装置Ｓ１〜Ｓ７において、炉体１６に固定されたシャッターケース７６には、隣り合う２本の搬送ローラ２６の芯間隔ｐよりも大きい厚みｔ２と、隣り合う２本の搬送ローラ２６との干渉を回避するために上端開閉面４２と前面４４ａおよび後面４４ｂとの間の稜部にそれぞれ形成された一対の凹溝４４ｃ、４４ｄと、搬送ローラ２６の間に位置させられ、上下シャッター部材４８が閉位置に下降させられた状態では、上下シャッター部材４８の下端開閉面４６が接近させられる上端開閉面４２とを有する固定シャッター部材４４が、位置固定に収容される。このことから、上下シャッター部材４８全体が比較的肉厚の断熱材により構成できるので、加熱領域間の断熱性能が充分に得られ、加熱領域間の温度差を急峻に形成できる。また、搬送ローラ２６間の間隔を小さくでき、小さな被加熱物の搬送を安定して行なうことができる利点がある。
【００８１】
また、本実施例の焼成炉（ローラ搬送式焼成炉）１２のシャッター装置Ｓ１〜Ｓ７は、上下シャッター部材４８と、複数本の搬送ローラ２６ののうちの隣り合う一対の搬送ローラ２６の間を通して、上下シャッター部材４８の下端部から下方へ突き出す一対の支持棒５０と、炉体１６の下側に配置され、一対の支持棒５０を介して上下シャッター部材４８を上下方向に駆動して開位置と閉位置とに位置させるシャッター駆動装置５２とを、含む。このように、シャッター駆動装置５２は、炉体１６の下側に配置されていることから、炉体１６の熱の影響を受け難いので、上下シャッター部材４８を上下に駆動するシャッター駆動装置５２に大がかりな冷却機構装置を設ける必要がない。
【００８２】
また、本実施例の焼成炉（ローラ搬送式焼成炉）１２のシャッター装置Ｓ１〜Ｓ７において、炉体１６は、基台フレーム１４によって支持されており、基台フレーム１４は、下側フレーム１８と、下側フレーム１８から上方へ突き出す支柱フレーム２０と、支柱フレーム２０により支持され、炉体１６が載置される上側フレーム２２とを有し、シャッター駆動装置５２は、上側フレーム２２に設けられている。このように、シャッター駆動装置５２は、基台フレーム１４のうちの上側フレーム２２に設けられていることから、シャッター駆動装置５２による上下シャッター部材４８に対する位置ずれが抑制されるので、機械的強度が比較的低い上下シャッター部材４８の消耗が抑制される。
【００８３】
また、本実施例の焼成炉（ローラ搬送式焼成炉）１２のシャッター装置Ｓ１〜Ｓ７において、シャッター駆動装置５２は、一対の支持棒５０の下端部が固定された上下プレート５４と、上側フレーム２２に固定され、上下プレート５４を上下方向に案内する上下方向案内装置５６と、上側フレーム２２に固定され、上下プレート５４を上下方向に駆動する減速機付電動機５８とを、含む。これにより、上下方向案内装置５６や減速機付電動機５８について、大がかりな冷却装置を必要とせず、特別な耐熱性が要求されることがないので、一般的な性能の上下方向案内装置５６や減速機付電動機５８を用いることができる。
【００８４】
以上、本発明を表及び図面を参照して詳細に説明したが、本発明は更に別の態様でも実施でき、その主旨を逸脱しない範囲で種々変更を加え得るものである。
【００８５】
たとえば、前述の実施例では、上下シャッター部材４８の厚みｔ１が、搬送ローラ２６の配置間隔ｄ１或いは搬送ローラ２６の芯間隔ｐよりも大きいものであったが、搬送ローラ２６の配置間隔ｄ１或いは搬送ローラ２６の芯間隔ｐよりも小さいものであってもよい。
【００８６】
また、上下シャッター部材４８の厚みｔ１が、搬送ローラ２６の配置間隔ｄ１以下である場合は、上下シャッター部材４８が下降させられることで開位置とされ、上昇させられることで閉位置とされてもよい。
【００８７】
また、前述の実施例において、焼成炉（ローラ搬送式焼成炉）１２のシャッター装置Ｓ２〜Ｓ７は、案内レール８０の本数と位置がシャッター装置Ｓ１と異なっていたが、シャッター装置Ｓ１のシャッターケース７６と同様に構成されていてもよい。また、シャッター装置Ｓ１〜Ｓ７が、相互に異なるように構成されていてもよい。また、シャッター装置Ｓ１〜Ｓ７のうちの一部、たとえば処理空間Ｚ１〜Ｚ７の間のうちの処理温度が高温の位置に設けられるたとえばシャッター装置Ｓ１〜Ｓ５について、シャッター駆動装置５２が炉体１６の下側に配置されていてもよい。
【００８８】
なお、上述したのはあくまでの本発明の一実施例であり、本発明はその趣旨を逸脱しない範囲において種々変更が加えられるものである。
【符号の説明】
【００８９】
１２：ローラ搬送式焼成炉（焼成炉）
１４：基台フレーム
１６：炉体
１８：下側フレーム
２０：支柱フレーム
２２：上側フレーム
２６：搬送ローラ
３０：搬送ローラ支持装置
３２：搬送ローラ駆動装置
３６：被加熱材
４２：上端開閉面
４４：固定シャッター部材
４４ａ：前面
４４ｂ：後面
４４ｃ、４４ｄ：凹溝
４６：下端開閉面
４８：上下シャッター部材
４８ａ：前面
４８ｂ：後面
４８ｃ、４８ｄ：凹溝
４８ｅ、４８ｆ：凹状案内溝
５０：支持棒
５２：シャッター駆動装置
５４：上下プレート
５６：上下方向案内装置
５８：減速機付電動機
７６：シャッターケース
７６ａ：前壁
７６ｂ：後壁
７６ｃ：側壁
７６ｄ、７６ｅ：貫通穴
７６ｆ、７６ｇ：凹溝
７８：貫通穴
８０：案内レール
８２：前側断熱板
８４：後側断熱板
８６：上端側断熱板
８８：第１円柱状断熱補強ピン
９０：第２円柱状断熱補強ピン
９２：円筒状断熱ブッシュ
９４：小径凹溝
９６：大径凹溝
９８：金属ピン
１００：支持棒貫通穴
Ｓ１〜Ｓ７：シャッター装置
ＰＷ：隔壁
Ｚ１〜Ｚ８：処理空間（加熱領域）
【図１】
2020143884.tif 000003
【図２】
2020143884.tif 000004
【図３】
2020143884.tif 000005
【図４】
2020143884.tif 000006
【図５】
2020143884.tif 000007
【図６】
2020143884.tif 000008
【図７】
2020143884.tif 000009
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
トンネル状の炉体を有し、前記炉体を幅方向に貫通する複数本の搬送ローラにより搬送される被加熱材に熱処理を施すローラ搬送式焼成炉において前記炉体内の空間を前記空間の長手方向に複数の加熱領域に分割する、ローラ搬送式焼成炉のシャッター装置であって、
前記搬送ローラの間を通して上方へ突き出す一対の支持棒により支持され、前記支持棒を介して前記炉体内の空間を開閉させられる上下シャッター部材を、備え、
前記上下シャッター部材は、前記一対の支持棒の端部を挟んだ状態で貼り合わせられた一対の前側断熱板および後側断熱板と、前記一対の前側断熱板および後側断熱板の上側端面にそれぞれ貼り付けられた上端側断熱板とを、含む
ことを特徴とするローラ搬送式焼成炉のシャッター装置。
【請求項２】
前記前側断熱板および後側断熱板と上端側断熱板とは、セラミックファイバーで構成された断熱板材であり、且つセラミックボンドによって相互に接着されている
ことを特徴とする請求項１に記載のローラ搬送式焼成炉のシャッター装置。
【請求項３】
セラミックファイバーにより前記断熱板材よりも硬く構成された複数本の第１円柱状断熱補強ピンが、前記前側断熱板および後側断熱板に厚み方向に打ち込まれた状態でセラミックボンドによって接着され、
前記第１円柱状断熱補強ピンと同様にセラミックファイバーにより前記断熱板材よりも硬く構成された複数本の第２円柱状断熱補強ピンが、前記前側断熱板および後側断熱板と前記上端側断熱板とに、前記上端側断熱板の厚み方向に打ち込まれた状態でセラミックボンドによって接着されている
ことを特徴とする請求項２に記載のローラ搬送式焼成炉のシャッター装置。
【請求項４】
前記一対の支持棒の端部には、セラミックファイバーにより前記断熱板材よりも硬く構成された円筒状断熱ブッシュが固定されており、
前記一対の前側断熱板および後側断熱板の合わせ面には、前記一対の支持棒を嵌め入れる小径凹溝と、前記一対の支持棒の端部に固定された前記円筒状断熱ブッシュを嵌め入れる大径凹溝とが、連続して形成されている
ことを特徴とする請求項２または３に記載のローラ搬送式焼成炉のシャッター装置。
【請求項５】
前記円筒状断熱ブッシュが固定された前記一対の支持棒の端部には、金属ピンが前記金属ピンの両端部を前記円筒状断熱ブッシュから突き出した状態で貫通させられている
ことを特徴とする請求項４に記載のローラ搬送式焼成炉のシャッター装置。
【請求項６】
前記支持棒は、セラミック材料から円管状に構成されている
ことを特徴とする請求項１から５のいずれか１に記載のローラ搬送式焼成炉のシャッター装置。
【請求項７】
前記炉体に固定され、前記上下シャッター部材を収容して上下方向に案内するシャッターケースを、含み、
前記シャッターケースは、上下方向に積層された断熱板材の積層体により構成されている
ことを特徴とする請求項１から６のいずれか１に記載のローラ搬送式焼成炉のシャッター装置。
【請求項８】
前記シャッターケースを構成する前記断熱板材の積層体は、セラミックファイバーで構成された枠状断熱板材同士が積層状態でセラミックボンドによって相互に接着されたものである
ことを特徴とする請求項７のローラ搬送式焼成炉のシャッター装置。
【請求項９】
前記複数本の搬送ローラは一定の芯間隔で配置されており、
前記上下シャッター部材は、前記複数本の搬送ローラの芯間隔よりも大きい厚みを有する
ことを特徴とする請求項１から８のいずれか１に記載のローラ搬送式焼成炉のシャッター装置。
【請求項１０】
前記シャッターケースは、前記被加熱材を通過させる貫通穴がそれぞれ形成された前壁および後壁と、前記前壁および後壁の幅方向の両端部をそれぞれ接続する一対の側壁とを有し、前記前壁および後壁と前記一対の側壁との間に形成された収容空間内に前記上下シャッター部材を上下方向の移動可能に収容する
ことを特徴とする請求項７または８に記載のローラ搬送式焼成炉のシャッター装置。
【請求項１１】
前記シャッターケースの前記前壁および後壁の内壁面には、案内レールが上下方向にそれぞれ延設され、
前記上下シャッター部材の前面および後面には、前記案内レールが嵌め入れられる凹状案内溝が形成され、
前記上下シャッター部材は、前記上下シャッター部材の前面および後面が前記案内レールの前記内壁面からの突出し寸法よりも小さな間隔を前記内壁面との間に隔てた状態で、前記案内レールにより上下方向に案内される
ことを特徴とする請求項１０に記載のローラ搬送式焼成炉のシャッター装置。
【請求項１２】
前記シャッターケースは、前記複数本の搬送ローラのうちの隣り合う２本の搬送ローラを間に挟んで位置する一対の搬送ローラの間隔よりも大きい寸法の厚み寸法を有し、
前記シャッターケースには、前記２本の搬送ローラを幅方向に貫通させる貫通穴と、前記一対の搬送ローラとの干渉を回避するため一対の凹溝とが形成されている
ことを特徴とする請求項７、８、１０、および１１のいずれか１に記載のローラ搬送式焼成炉のシャッター装置。
【請求項１３】
前記複数本の搬送ローラは一定の芯間隔で配置されており、
前記上下シャッター部材は、前記複数本の搬送ローラの芯間隔よりも大きい厚みと、前記搬送ローラとの干渉を回避するために下端開閉面と前面および後面との間の稜部にそれぞれ形成された一対の凹溝とを有し、閉位置に下降させられた状態では、前記下端開閉面が前記搬送ローラの間に位置するものである
ことを特徴とする請求項１２に記載のローラ搬送式焼成炉のシャッター装置。
【請求項１４】
前記シャッターケースは、前記複数本の搬送ローラの芯間隔よりも大きい厚みと、前記搬送ローラとの干渉を回避するために上端開閉面と前面および後面との間の稜部にそれぞれ形成された一対の凹溝と、前記搬送ローラの間に位置させられ、前記上下シャッター部材が前記閉位置に下降させられた状態では、前記上下シャッター部材の下端開閉面が接近させられる前記上端開閉面とを有し、前記炉体に固定された固定シャッター部材を、位置固定に収容する
ことを特徴とする請求項１３に記載のローラ搬送式焼成炉のシャッター装置。
【請求項１５】
前記搬送ローラの間を通して、前記上下シャッター部材の下端部から下方へ突き出す一対の支持棒と、前記炉体の下側に配置され、前記一対の支持棒を介して前記上下シャッター部材を上下方向に駆動して開位置と閉位置とに位置させるシャッター駆動装置とを、含む
ことを特徴とする請求項１から１４のいずれか１に記載のローラ搬送式焼成炉のシャッター装置。
【請求項１６】
前記炉体は、基台フレームによって支持されており、
前記基台フレームは、下側フレームと、前記下側フレームから上方へ突き出す支柱フレームと、前記支柱フレームにより支持され、前記炉体が載置される上側フレームとを有し、
前記シャッター駆動装置は、前記上側フレームに設けられている
ことを特徴とする請求項１５に記載のローラ搬送式焼成炉のシャッター装置。
【請求項１７】
前記シャッター駆動装置は、
前記一対の支持棒の下端部が固定された上下プレートと、
前記上側フレームに固定され、前記上下プレートを上下方向に案内する上下方向案内装置と、
前記上側フレームに固定され、前記上下プレートを上下方向に駆動する減速機付電動機とを、含む
ことを特徴とする請求項１６に記載のローラ搬送式焼成炉のシャッター装置。
【手続補正２】
【補正対象書類名】明細書
【補正対象項目名】００１５
【補正方法】変更
【補正の内容】
【００１５】
第８発明の要旨とするところは、第７発明において、前記シャッターケースを構成する前記断熱板材の積層体は、セラミックファイバーで構成された枠状断熱板材同士が積層状態でセラミックボンドによって相互に接着されたものであることにある。
【手続補正３】
【補正対象書類名】明細書
【補正対象項目名】００１６
【補正方法】変更
【補正の内容】
【００１６】
第９発明の要旨とするところは、第１発明から第８発明のいずれか１の発明において、前記複数本の搬送ローラは一定の芯間隔で配置されており、前記上下シャッター部材は、前記複数本の搬送ローラの芯間隔よりも大きい厚みを有することにある。
【手続補正４】
【補正対象書類名】明細書
【補正対象項目名】００１９
【補正方法】変更
【補正の内容】
【００１９】
第１２発明の要旨とするところは、第７発明、第８発明、第１０発明、第１１発明のいずれか１の発明において、前記シャッターケースは、前記複数本の搬送ローラのうちの隣り合う２本の搬送ローラを間に挟んで位置する一対の搬送ローラの間隔よりも大きい寸法の厚み寸法を有し、前記シャッターケースには、前記２本の搬送ローラを幅方向に貫通させる貫通穴と、前記一対の搬送ローラとの干渉を回避するため一対の凹溝とが形成されていることにある。
【手続補正５】
【補正対象書類名】明細書
【補正対象項目名】００２０
【補正方法】変更
【補正の内容】
【００２０】
第１３発明の要旨とするところは、第１２発明において、前記複数本の搬送ローラは一定の芯間隔で配置されており、前記上下シャッター部材は、前記複数本の搬送ローラの芯間隔よりも大きい厚みと、前記搬送ローラとの干渉を回避するために下端開閉面と前面および後面との間の稜部にそれぞれ形成された一対の凹溝とを有し、閉位置に下降させられた状態では、前記下端開閉面が前記搬送ローラの間に位置するものであることにある。
【手続補正６】
【補正対象書類名】明細書
【補正対象項目名】００３２
【補正方法】変更
【補正の内容】
【００３２】
第８発明のローラ搬送式焼成炉のシャッター装置によれば、前記シャッターケースを構成する前記断熱板材の積層体は、セラミックファイバーで構成された枠状断熱板材同士が積層状態でセラミックボンドによって相互に接着されたものである。これにより、前記シャッターケースの剛性が高められるので、前記上下シャッター部材を収容する前記シャッターケースの熱変形が一層抑制される。
【手続補正７】
【補正対象書類名】明細書
【補正対象項目名】００３３
【補正方法】変更
【補正の内容】
【００３３】
第９発明のローラ搬送式焼成炉のシャッター装置によれば、前記複数本の搬送ローラは一定の芯間隔で配置されており、前記上下シャッター部材は、前記複数本の搬送ローラの芯間隔よりも大きい厚みを有する。これにより、高い断熱性が得られるので、前記上下シャッター部材で分割された加熱領域間の断熱性能が高められ、処理空間（加熱領域）Ｚ間の温度差を急峻に形成できる。また、炉長を短縮することができる。
【手続補正８】
【補正対象書類名】明細書
【補正対象項目名】００３６
【補正方法】変更
【補正の内容】
【００３６】
第１２発明のローラ搬送式焼成炉のシャッター装置によれば、前記シャッターケースは、前記複数本の搬送ローラのうちの隣り合う２本の搬送ローラを間に挟んで位置する一対の搬送ローラの間隔よりも大きい寸法の厚み寸法を有し、前記シャッターケースには、前記２本の搬送ローラを幅方向に貫通させる貫通穴と、前記一対の搬送ローラとの干渉を回避するため一対の凹溝とが形成されている。これにより、前記上下シャッター部材全体が比較的肉厚の断熱材により構成できるので、加熱領域間の断熱性能が充分に得られ、加熱領域間の温度差を急峻に形成できる。また、前記搬送ローラ間の間隔を小さくでき、小さな被加熱物の搬送を安定して行なうことができる利点がある。
【手続補正９】
【補正対象書類名】明細書
【補正対象項目名】００３７
【補正方法】変更
【補正の内容】
【００３７】
第１３発明のローラ搬送式焼成炉のシャッター装置によれば、前記複数本の搬送ローラは一定の芯間隔で配置されており、前記上下シャッター部材は、前記複数本の搬送ローラの芯間隔よりも大きい厚みと、前記搬送ローラとの干渉を回避するために下端開閉面と前面および後面との間の稜部にそれぞれ形成された一対の凹溝とを有し、閉位置に下降させられた状態では、前記下端開閉面が前記搬送ローラの間に位置する。これにより、前記上下シャッター部材全体が比較的肉厚の断熱材により構成できるので、加熱領域間の断熱性能が充分に得られ、加熱領域間の温度差を急峻に形成できる。また、前記搬送ローラ間の間隔を小さくでき、小さな被加熱物の搬送を安定して行なうことができる利点がある。
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
トンネル状の炉体を有し、前記炉体を幅方向に貫通する複数本の搬送ローラにより搬送される被加熱材に熱処理を施すローラ搬送式焼成炉において前記炉体内の空間を前記空間の長手方向に複数の加熱領域に分割する、ローラ搬送式焼成炉のシャッター装置であって、
前記搬送ローラの間を通して上方へ突き出す一対の支持棒により支持され、前記支持棒を介して前記炉体内の空間を開閉させられる上下シャッター部材を、備え、
前記上下シャッター部材は、前記一対の支持棒の端部を挟んだ状態で貼り合わせられた一対の前側断熱板および後側断熱板と、前記一対の前側断熱板および後側断熱板の上側端面にそれぞれ貼り付けられた上端側断熱板とを、含む
ことを特徴とするローラ搬送式焼成炉のシャッター装置。
【請求項２】
前記前側断熱板および後側断熱板と上端側断熱板とは、セラミックファイバーで構成された断熱板材であり、且つセラミックボンドによって相互に接着されている
ことを特徴とする請求項１に記載のローラ搬送式焼成炉のシャッター装置。
【請求項３】
セラミックファイバーにより前記断熱板材よりも硬く構成された複数本の第１円柱状断熱補強ピンが、前記前側断熱板および後側断熱板に厚み方向に打ち込まれた状態でセラミックボンドによって接着され、
前記第１円柱状断熱補強ピンと同様にセラミックファイバーにより前記断熱板材よりも硬く構成された複数本の第２円柱状断熱補強ピンが、前記前側断熱板および後側断熱板と前記上端側断熱板とに、前記上端側断熱板の厚み方向に打ち込まれた状態でセラミックボンドによって接着されている
ことを特徴とする請求項２に記載のローラ搬送式焼成炉のシャッター装置。
【請求項４】
前記一対の支持棒の端部には、セラミックファイバーにより前記断熱板材よりも硬く構成された円筒状断熱ブッシュが固定されており、
前記一対の前側断熱板および後側断熱板の合わせ面には、前記一対の支持棒を嵌め入れる小径凹溝と、前記一対の支持棒の端部に固定された前記円筒状断熱ブッシュを嵌め入れる大径凹溝とが、連続して形成されている
ことを特徴とする請求項２または３に記載のローラ搬送式焼成炉のシャッター装置。
【請求項５】
前記円筒状断熱ブッシュが固定された前記一対の支持棒の端部には、金属ピンが前記金属ピンの両端部を前記円筒状断熱ブッシュから突き出した状態で貫通させられている
ことを特徴とする請求項４に記載のローラ搬送式焼成炉のシャッター装置。
【請求項６】
前記支持棒は、セラミック材料から円管状に構成されている
ことを特徴とする請求項１から５のいずれか１に記載のローラ搬送式焼成炉のシャッター装置。
【請求項７】
前記炉体に固定され、前記上下シャッター部材を収容して上下方向に案内するシャッターケースを、含み、
前記シャッターケースは、上下方向に積層された断熱板材の積層体により構成されている
ことを特徴とする請求項１から６のいずれか１に記載のローラ搬送式焼成炉のシャッター装置。
【請求項８】
前記シャッターケースを構成する前記断熱板材の積層体は、セラミックファイバーで構成された枠状断熱板材同士が積層状態でセラミックボンドによって相互に接着されたものである
ことを特徴とする請求項７のローラ搬送式焼成炉のシャッター装置。
【請求項９】
前記複数本の搬送ローラは、前記上下シャッター部材の下方に位置して一定の芯間隔で配置された複数本の搬送ローラを含み、
前記上下シャッター部材は、前記一定の芯間隔で配置された複数本の搬送ローラの芯間隔よりも大きい厚みを有する
ことを特徴とする請求項１から８のいずれか１に記載のローラ搬送式焼成炉のシャッター装置。
【請求項１０】
前記シャッターケースは、前記被加熱材を通過させる貫通穴がそれぞれ形成された前壁および後壁と、前記前壁および後壁の幅方向の両端部をそれぞれ接続する一対の側壁とを有し、前記前壁および後壁と前記一対の側壁との間に形成された収容空間内に前記上下シャッター部材を上下方向の移動可能に収容する
ことを特徴とする請求項７または８に記載のローラ搬送式焼成炉のシャッター装置。
【請求項１１】
前記シャッターケースの前記前壁および後壁の内壁面には、案内レールが上下方向にそれぞれ延設され、
前記上下シャッター部材の前面および後面には、前記案内レールが嵌め入れられる凹状案内溝が形成され、
前記上下シャッター部材は、前記上下シャッター部材の前面および後面が前記案内レールの前記内壁面からの突出し寸法よりも小さな間隔を前記内壁面との間に隔てた状態で、前記案内レールにより上下方向に案内される
ことを特徴とする請求項１０に記載のローラ搬送式焼成炉のシャッター装置。
【請求項１２】
前記複数本の搬送ローラは、前記上下シャッター部材の下方に位置して一定の芯間隔で配置された複数本の搬送ローラを含み、
前記シャッターケースは、前記一定の芯間隔で配置された複数本の搬送ローラのうちの隣り合う２本の搬送ローラを間に挟んで位置する一対の搬送ローラの間隔よりも大きい寸法の厚み寸法を有し、
前記シャッターケースには、前記２本の搬送ローラを幅方向に貫通させる貫通穴と、前記一対の搬送ローラとの干渉を回避するため一対の凹溝とが形成されている
ことを特徴とする請求項７、８、１０、および１１のいずれか１に記載のローラ搬送式焼成炉のシャッター装置。
【請求項１３】
前記上下シャッター部材は、前記一定の芯間隔で配置された複数本の搬送ローラの芯間隔よりも大きい厚みと、前記２本の搬送ローラとの干渉を回避するために下端開閉面と前面および後面との間の稜部にそれぞれ形成された一対の凹溝とを有し、閉位置に下降させられた状態では、前記下端開閉面が前記２本の搬送ローラの間に位置するものである
ことを特徴とする請求項１２に記載のローラ搬送式焼成炉のシャッター装置。
【請求項１４】
前記シャッターケースは、前記一定の芯間隔で配置された複数本の搬送ローラの芯間隔よりも大きい厚みと、前記２本の搬送ローラとの干渉を回避するために上端開閉面と前面および後面との間の稜部にそれぞれ形成された一対の凹溝と、前記２本の搬送ローラの間に位置させられ、前記上下シャッター部材が前記閉位置に下降させられた状態では、前記上下シャッター部材の下端開閉面が接近させられる前記上端開閉面とを有し、前記炉体に固定された固定シャッター部材を、位置固定に収容する
ことを特徴とする請求項１３に記載のローラ搬送式焼成炉のシャッター装置。
【請求項１５】
前記上下シャッター部材の下端部から下方へ突き出す前記一対の支持棒と、前記炉体の下側に配置され、前記一対の支持棒を介して前記上下シャッター部材を上下方向に駆動して開位置と閉位置とに位置させるシャッター駆動装置とを、含む
ことを特徴とする請求項１から１４のいずれか１に記載のローラ搬送式焼成炉のシャッター装置。
【請求項１６】
前記炉体は、基台フレームによって支持されており、
前記基台フレームは、下側フレームと、前記下側フレームから上方へ突き出す支柱フレームと、前記支柱フレームにより支持され、前記炉体が載置される上側フレームとを有し、
前記シャッター駆動装置は、前記上側フレームに設けられている
ことを特徴とする請求項１５に記載のローラ搬送式焼成炉のシャッター装置。
【請求項１７】
前記シャッター駆動装置は、
前記一対の支持棒の下端部が固定された上下プレートと、
前記上側フレームに固定され、前記上下プレートを上下方向に案内する上下方向案内装置と、
前記上側フレームに固定され、前記上下プレートを上下方向に駆動する減速機付電動機とを、含む
ことを特徴とする請求項１６に記載のローラ搬送式焼成炉のシャッター装置。
【手続補正２】
【補正対象書類名】明細書
【補正対象項目名】００１６
【補正方法】変更
【補正の内容】
【００１６】
第９発明の要旨とするところは、第１発明から第８発明のいずれか１の発明において、前記複数本の搬送ローラは、前記上下シャッター部材の下方に位置して一定の芯間隔で配置された複数本の搬送ローラを含み、前記上下シャッター部材は、前記一定の芯間隔で配置された複数本の搬送ローラの芯間隔よりも大きい厚みを有することにある。
【手続補正３】
【補正対象書類名】明細書
【補正対象項目名】００１９
【補正方法】変更
【補正の内容】
【００１９】
第１２発明の要旨とするところは、第７発明、第８発明、第１０発明、第１１発明のいずれか１の発明において、前記複数本の搬送ローラは、前記上下シャッター部材の下方に位置して一定の芯間隔で配置された複数本の搬送ローラを含み、前記シャッターケースは、前記一定の芯間隔で配置された複数本の搬送ローラのうちの隣り合う２本の搬送ローラを間に挟んで位置する一対の搬送ローラの間隔よりも大きい寸法の厚み寸法を有し、前記シャッターケースには、前記２本の搬送ローラを幅方向に貫通させる貫通穴と、前記一対の搬送ローラとの干渉を回避するため一対の凹溝とが形成されていることにある。
【手続補正４】
【補正対象書類名】明細書
【補正対象項目名】００２０
【補正方法】変更
【補正の内容】
【００２０】
第１３発明の要旨とするところは、第１２発明において、前記上下シャッター部材は、前記一定の芯間隔で配置された複数本の搬送ローラの芯間隔よりも大きい厚みと、前記２本の搬送ローラとの干渉を回避するために下端開閉面と前面および後面との間の稜部にそれぞれ形成された一対の凹溝とを有し、閉位置に下降させられた状態では、前記下端開閉面が前記２本の搬送ローラの間に位置するものであることにある。
【手続補正５】
【補正対象書類名】明細書
【補正対象項目名】００２１
【補正方法】変更
【補正の内容】
【００２１】
第１４発明の要旨とするところは、第１３発明において、前記シャッターケースは、前記一定の芯間隔で配置された複数本の搬送ローラの芯間隔よりも大きい厚みと、前記２本の搬送ローラとの干渉を回避するために上端開閉面と前面および後面との間の稜部にそれぞれ形成された一対の凹溝と、前記２本の搬送ローラの間に位置させられ、前記上下シャッター部材が前記閉位置に下降させられた状態では、前記上下シャッター部材の下端開閉面が接近させられる前記上端開閉面とを有し、前記炉体に固定された固定シャッター部材を、位置固定に収容することにある。
【手続補正６】
【補正対象書類名】明細書
【補正対象項目名】００２２
【補正方法】変更
【補正の内容】
【００２２】
第１５発明の要旨とするところは、第１発明から第１４発明のいずれか１の発明において、前記上下シャッター部材の下端部から下方へ突き出す一対の支持棒と、前記炉体の下側に配置され、前記一対の支持棒を介して前記上下シャッター部材を上下方向に駆動して開位置と閉位置とに位置させるシャッター駆動装置とを、含むことにある。
【手続補正７】
【補正対象書類名】明細書
【補正対象項目名】００３３
【補正方法】変更
【補正の内容】
【００３３】
第９発明のローラ搬送式焼成炉のシャッター装置によれば、前記複数本の搬送ローラは、前記上下シャッター部材の下方に位置して一定の芯間隔で配置された複数本の搬送ローラを含み、前記上下シャッター部材は、前記一定の芯間隔で配置された複数本の搬送ローラの芯間隔よりも大きい厚みを有する。これにより、高い断熱性が得られるので、前記上下シャッター部材で分割された加熱領域間の断熱性能が高められ、処理空間（加熱領域）Ｚ間の温度差を急峻に形成できる。また、炉長を短縮することができる。
【手続補正８】
【補正対象書類名】明細書
【補正対象項目名】００３６
【補正方法】変更
【補正の内容】
【００３６】
第１２発明のローラ搬送式焼成炉のシャッター装置によれば、前記複数本の搬送ローラは、前記上下シャッター部材の下方に位置して一定の芯間隔で配置された複数本の搬送ローラを含み、前記シャッターケースは、前記一定の芯間隔で配置された複数本の搬送ローラのうちの隣り合う２本の搬送ローラを間に挟んで位置する一対の搬送ローラの間隔よりも大きい寸法の厚み寸法を有し、前記シャッターケースには、前記２本の搬送ローラを幅方向に貫通させる貫通穴と、前記一対の搬送ローラとの干渉を回避するため一対の凹溝とが形成されている。これにより、前記上下シャッター部材全体が比較的肉厚の断熱材により構成できるので、加熱領域間の断熱性能が充分に得られ、加熱領域間の温度差を急峻に形成できる。また、前記搬送ローラ間の間隔を小さくでき、小さな被加熱物の搬送を安定して行なうことができる利点がある。
【手続補正９】
【補正対象書類名】明細書
【補正対象項目名】００３７
【補正方法】変更
【補正の内容】
【００３７】
第１３発明のローラ搬送式焼成炉のシャッター装置によれば、前記上下シャッター部材は、前記一定の芯間隔で配置された複数本の搬送ローラの芯間隔よりも大きい厚みと、前記２本の搬送ローラとの干渉を回避するために下端開閉面と前面および後面との間の稜部にそれぞれ形成された一対の凹溝とを有し、閉位置に下降させられた状態では、前記下端開閉面が前記２本の搬送ローラの間に位置する。これにより、前記上下シャッター部材全体が比較的肉厚の断熱材により構成できるので、加熱領域間の断熱性能が充分に得られ、加熱領域間の温度差を急峻に形成できる。また、前記搬送ローラ間の間隔を小さくでき、小さな被加熱物の搬送を安定して行なうことができる利点がある。
【手続補正１０】
【補正対象書類名】明細書
【補正対象項目名】００３８
【補正方法】変更
【補正の内容】
【００３８】
第１４発明のローラ搬送式焼成炉のシャッター装置によれば、前記シャッターケースは、前記一定の芯間隔で配置された複数本の搬送ローラの芯間隔よりも大きい厚みと、前記２本の搬送ローラとの干渉を回避するために上端開閉面と前面および後面との間の稜部にそれぞれ形成された一対の凹溝と、前記２本の搬送ローラの間に位置させられ、前記上下シャッター部材が前記閉位置に下降させられた状態では、前記上下シャッター部材の下端開閉面が接近させられる前記上端開閉面とを有し、前記炉体に固定された固定シャッター部材を、位置固定に収容する。これにより、前記上下シャッター部材全体が比較的肉厚の断熱材により構成できるので、加熱領域間の断熱性能が充分に得られ、加熱領域間の温度差を急峻に形成できる。また、前記搬送ローラ間の間隔を小さくでき、小さな被加熱物の搬送を安定して行なうことができる利点がある。
【手続補正１１】
【補正対象書類名】明細書
【補正対象項目名】００３９
【補正方法】変更
【補正の内容】
【００３９】
第１５発明のローラ搬送式焼成炉のシャッター装置によれば、前記上下シャッター部材の下端部から下方へ突き出す一対の支持棒と、前記炉体の下側に配置され、前記一対の支持棒を介して前記上下シャッター部材を上下方向に駆動して開位置と閉位置とに位置させるシャッター駆動装置とを、含む。このように、シャッター駆動装置は、炉体の下側に配置されていることから、炉体の熱の影響を受け難いので、上下シャッター部材を上下に駆動するシャッター駆動装置に大がかりな冷却機構装置を設ける必要がない。